(57)【要約】【課題】  中間尿をより確実に採取可能で、かつ、操作性の良い尿検体採取器具を提供する。【解決手段】  出口開口部を起点として使用者が排尿する受尿領域を形成する裾広がりになった面と、この面の周囲を規定する縁と、を有する受尿部と；一端が前記受尿部出口開口部に接続し、その他端が開放端であり、かつ、その側面に開口部を有する筒状部材と；前記開口部に取り付けられ、該開口部と連通するようにその内部に所定長さの流路を形成し、かつ、尿検体採取容器を着脱可能に取り付けられる連結手段と；前記開口部に位置し、又は、前記開口部に隣接して位置し、前記開口部を通過した尿を誘導するよう形成された尿流誘導部と；を備えたことを特徴とする尿検体採取器具。
2005517939.tif 000002
【特許請求の範囲】
【請求項１】
出口開口部を起点として使用者が排尿する受尿領域を形成する裾広がりになった面と、この面の周囲を規定する縁と、を有する受尿部と；
一端が前記受尿部出口開口部に接続し、その他端が開放端であり、かつ、その側面に開口部を有する筒状部材と；
前記開口部に取り付けられ、該開口部と連通するようにその内部に所定の長さの流路を形成し、かつ、尿検体採取容器を着脱可能に取り付けられる連結手段と；
前記開口部に位置し、又は、前記開口部に隣接して位置し、前記開口部を通過した尿を誘導するよう形成された尿流誘導部と；を備えたことを特徴とする尿検体採取器具。
【請求項２】
前記尿流誘導部は、前記筒状部材の軸に向けて突出した突出部からなる、請求項１記載の尿検体採取器具。
【請求項３】
前記開口部の上流に、前記突出部を備える請求項２記載の尿検体採取器具。
【請求項４】
前記開口部の下流にも、前記突出部を備える請求項３記載の尿検体採取器具。
【請求項５】
前記開口部の上流に位置する前記突出部が傾斜面を有する請求項３又は４記載の尿検体採取器具。
【請求項６】
前記開口部の上流に位置する前記突出部は、前記開口部の上流縁に沿い、前記筒状部材の幅方向へ延在する壁部材である請求項３又は４記載の尿検体採取器具。
【請求項７】
前記尿流誘導部は、前記開口部を挟んだ両側の少なくともいずれか一方側に沿って尿を流す尿路を備える、請求項１から６記載のいずれか１項に記載の尿検体採取器具。
【請求項８】
前記突出部を、前記連結手段の一部を、前記筒状部材内において、当該筒状部材の軸に向けて突出させて構成し、該連結手段の突出端部から尿が、該連結手段内の前記流路を介して、前記尿検体採取容器へ流入可能とした請求項２記載の尿検体採取器具。
【請求項９】
前記連結手段の一部は、前記筒状部材の高さの２０％から６０％に相当する分前記筒状部材内へ延在する請求項８記載の尿検体採取器具。
【請求項１０】
前記連結手段は、複数の断面半円形状の流路からなり、前記筒状部材内で上流側に位置する流路より、下流側に位置する流路の方が、該前記筒状部材内により長く延在している請求項８又は９記載の尿検体採取器具。
【請求項１１】
前記流路のうち少なくとも一つの流路は、前記尿検体採取容器内の空気を前記筒状部材内へ排気するために用いられる請求項８から１０のいずれか１項に記載の尿検体採取器具。
【請求項１２】
前記尿検体採取容器内の空気を前記筒状部材内へ排気するために用いられる前記流路は、前記連結手段の内部に形成される前記流路の長さより長く前記筒状部材内へ延在している請求項１１記載の尿検体採取器具。
【請求項１３】
前記尿検体採取容器内の空気を前記筒状部材内へ排気するために用いられる前記流路の開口部は下流に面している請求項１１又は１２記載の尿検体採取器具。
【請求項１４】
前記尿検体採取容器内の空気を前記筒状部材内へ排気するために用いられる前記流路の前記開口部は、下流に面した傾斜にある請求項１１から１３のいずれか１項に記載の尿検体採取器具。
【請求項１５】
前記開口部に隣接してカバー部材を設ける請求項１１から１４のいずれか１項に記載の尿検体採取器具。
【請求項１６】
前記筒状部材は、前記開放端が先細りとなるような小さい断面となる請求項１から１５のいずれか１項に記載の尿検体採取器具。
【請求項１７】
前記尿検体採取容器へ流入する尿を制限する尿量制限部または尿量制限部を有する尿検体採取容器を備える請求項１から１６のいずれか１項に記載の尿検体採取器具。
【請求項１８】
前記尿量制限部は、設定上限値まで尿が容器内へ流入した後にさらなる尿の前記尿検体採取容器への流入を防止できる請求項１７記載の尿検体採取器具。
【請求項１９】
前記尿量制限部は、使用時の前記開口部および前記尿検体採取容器間に、前記尿検体採取容器内の尿が設定レベルに達すると閉鎖する、弁を備える請求項１７又は１８記載の尿検体採取器具。
【請求項２０】
前記尿量制限部が弁を備え、尿が前記筒状部材から前記尿検体採取容器へ前記弁を通って流れ、前記弁は、尿が前記尿検体採取容器へと流入する場合に通る下部開口部と、尿が前記筒状部材から流入する場合に通る上部開口部と、前記上部開口部を閉鎖可能な寸法を有する前記上部開口部と前記下部開口部間に位置する閉鎖部材を備える請求項１７から１９のいずれか１項に記載の尿検体採取器具。
【請求項２１】
前記閉鎖部材は尿よりも低い密度である請求項２０記載の尿検体採取器具。
【請求項２２】
前記閉鎖部材が球体からなる請求項２０又は２１記載の尿検体採取器具。
【発明の詳細な説明】
【技術分野】
【０００１】
本発明は尿検体採取器具に関する。
【背景技術】
【０００２】
【特許文献１】国際公開第０１／７４２７５号公報
【特許文献２】特開２００３−５２８６９１号公報
【０００３】
図１は、上述の先出願に基づく尿検体採取器具１を示す図である。この尿検体採取器具１は、通常、受尿部２を有する。この受尿部２は、その一端が出口開口部３を形成し、他端は裾広がりに面７として形成され、使用者が排尿する入口領域となるように縁８が前記面７を規定している。前記受尿部２の様々な形状については、前記先出願において詳細に説明されている。前記出口開口部３は、筒状部材４の一端へ連結しており、この筒状部材４の他端は開放されている。前記筒状部材４は、いわゆる先細り形状を有し、前記出口開口部３から離れた一端において、長円状の余剰尿出口開口部６を形成している。検体容器連結部５（連結手段）はスタブ状の短い中空筒体から成り、かつ、この検体容器連結部５は、前記出口開口部３から所定距離れた前記筒状部材４の側面に設けた開口部に接続されている。そして、この検体容器連結部５には、標準の尿検体採取容器または尿検体採取瓶（図示せず）（以下、検体採取容器）が取り付けられる。また、この検体容器連結部５は、尿検体採取容器が使用時に鉛直方向となるように、前記筒状部材４に対して、取り付けられる。
【０００４】
使用時、尿検体採取容器を、前記検体容器連結部５に取り付け、前記先出願に詳細に説明されているように、女性使用者は前記受尿部２を、身体に対して尿道を覆う位置に構え、男性使用者は陰茎の先端を前記受尿部内へ入れるように構える。
【０００５】
使用者が排尿すると、尿は前記筒状部材４に沿って流れ、前記尿検体採取容器内および前記余剰尿出口開口部６へと流れる。前記尿検体採取容器が尿で満たされると、余剰尿が前記余剰尿出口６から流れ出るので使用者は排尿をただ中止すればよい。他の方法としては、使用者は前記器具１を引っ込めて排尿を続けられるが、この場合使用者の手指が尿汚染される可能性が高くなる。
【０００６】
この種の器具では、上述の如く、尿は前記尿検体採取器具１内を流れ、前記検体容器連結部５を介して尿の一部が前記尿検体採取容器に採取されるとともに、前記余剰尿出口開口部６より流れ出る。このような器具は、尿の全量が尿検体採取容器へ一直線に流れるよう誘導する器具とは異なっている。
【０００７】
また、医療従事者の見解として、中間尿の採取が重要であることが挙げられている。中間尿（ＭＳＵ）を採取する理由は、尿道や尿路内および周囲に何らかの汚染があった場合でも、そうした汚染を排尿開始（初尿）により押し流すことにある。別の理由としては、中間尿検体には排尿開始時の尿よりも膀胱内容が反映されており、人為的な衛生上の影響を受けにくいことが挙げられる。換言すると、中間尿検体を得るには、排尿開始時および排尿開始直後の尿を採取しないことが重要である。
【発明の開示】
【発明が解決しようとする課題】
【０００８】
しかし、図１に示す器具では、上述の初尿を排除できる保証はなしえない。さらに、容量いっぱいに前記尿検体採取容器を満たすことで問題も生じる。例えば、前記尿検体採取器具から、尿で満たされた前記尿検体採取容器を、尿をこぼさずに、取り外すことが困難な場合もある。
【０００９】
本発明は、上述の問題に鑑み、中間尿をより確実に採取可能で、かつ、操作性の良い尿検体採取器具を提供することを目的とする。
【課題を解決するための手段】
【００１０】
本発明による尿検体採取器具は、出口開口部を起点として使用者が排尿する受尿領域を形成する裾広がりになった面と、この面の周囲を規定する縁と、を有する受尿部と；一端が前記受尿部出口開口部に接続し、その他端が開放端であり、かつ、その側面に開口部を有する筒状部材と；前記開口部に取り付けられ、該開口部と連通するようにその内部に所定長さの流路を形成し、かつ、尿検体採取容器を着脱可能に取り付けられる連結手段と； 前記開口部に位置し、又は、前記開口部に隣接して位置し、前記開口部を通過した尿を誘導するよう形成された尿流誘導部と；を備えることを特徴としている。
【００１１】
前記尿流誘導部は、前記筒状部材の軸に向けて突出した突出部を有すると好ましい。
【００１２】
前記開口部の上流に、前記突出部を備えることができる。
【００１３】
前記開口部の下流にも、前記突出部を備えると好ましい。
【００１４】
前記開口部の上流に位置する前記突出部が傾斜面を備えてもよい。
【００１５】
前記開口部の上流に位置する前記突出部は、前記開口部の上流縁に沿い、前記筒状部材の幅方向へ延在する壁部材であると好ましい。
【００１６】
前記尿流誘導部は、前記開口部を挟んだ両側の少なくともいずれか一方側に沿って尿を流す尿路を備えることができる。
【００１７】
前記突出部を、前記連結手段の一部を前記筒状部材内において、当該筒状部材の軸に向けて突出させて構成し、該連結手段の突出端部から尿が、該連結手段内の前記流路を介して、前記尿検体採取容器へ流入可能としてもよい。
【００１８】
前記連結手段の一部は、前記筒状部材の高さの２０％から６０％に相当する分前記筒状部材内に延在すると好ましい。
【００１９】
前記連結手段は、複数の断面半円形状の流路からなり、前記筒状部材内で上流側に位置する流路より、下流側に位置する流路の方が、該前記筒状部材内により長く延在すると好ましい。
【００２０】
前記流路のうち少なくとも一つの流路は、前記尿検体採取容器内の空気を前記筒状部材内へ排気するために用いることができる。
【００２１】
前記尿検体採取容器内の空気を前記筒状部材内へ排気するために用いられる前記流路は、前記連結手段の内部に形成される前記流路の長さより長く前記筒状部材内へ延在すると好ましい。
【００２２】
前記尿検体採取容器内の空気を前記筒状部材内へ排気するために用いられる前記流路の開口部は下流に面していると好ましい。
【００２３】
前記尿検体採取容器内の空気を前記筒状部材内へ排気するために用いられる前記流路の前記開口部は、下流に向く傾斜面にあると好ましい。
【００２４】
前記開口部に隣接してカバー部材を設けてもよい。
【００２５】
該本体を発展させ、該本体外側を流れる尿が、らせん構造内を移動し尿のしぶきの量を減らすようにしてもよい。このらせん構造内の該筒状部材を尿が下方へ移動すると、それ以降の経路においてエアロックが生じる。エアロックが尿の尿採取容器内への流入を止めることは明らかである。該経路の開口部が、下流に面している、傾斜している、または尿を該開口部からそらすカバーが設けられている場合、エアロックが生じる可能性は低減する。
【００２６】
前記筒状部材は、前記開放端が先細りとなるような小さい断面とすると好ましい。したがって尿流が十分にあると、該筒状部材を流れて該筒状部材側面の該開口部を通過した尿は、「逆流」を開始し、該筒状部材の側面の該開口部を通って該尿検体採取容器内へと流れ始める。
【００２７】
前記尿検体採取容器に、流入する尿を制限する尿量制限部または尿量制限部を備える尿検体採取容器であると好ましい。この場合、尿検体採取容器へ流入する尿量は最大設定値は、例えば該尿検体採取容器の容量の５０％から７５％以上にはならないものとする。
【００２８】
前記尿量制限部は、設定上限値まで尿が尿検体採取容器内へ流入した後にさらなる尿の前記尿検体採取容器への流入を防止できるようにしてもよい。
【００２９】
前記尿量制限部は、使用時の前記開口部および前記尿検体採取容器間に、前記尿検体採取容器内の尿が設定レベルに達すると閉鎖する、弁を備えると好ましい。
【００３０】
前記尿量制限部が弁を備え、尿が前記筒状部材から前記尿検体採取容器へ前記弁を通って流れ、前記弁は、尿が前記尿検体採取容器へと流入する場合に通る下部開口部と、尿が前記筒状部材から流入する場合に通る上部開口部と、前記上部開口部を閉鎖可能な寸法を有する前記上部開口部と前記下部開口部間に位置する閉鎖部材を備えると好ましい。
【００３１】
前記閉鎖部材は、尿よりも低い密度とすることができ、また、球体からなると好ましい。
【発明の効果】
【００３２】
本発明によれば、中間尿をより確実に採取可能で、かつ、操作性の良い尿検体採取器具を提供することができる。
【発明を実施するための最良の形態】
【００３３】
以下、図面を参照して本発明の実施例を詳細に説明する。図１は、公知の尿検体採取器具1の斜視図である。図２は、本発明の実施形態における筒状部材４の部分斜視側面図である。図３は、図２のＣ−Ｃ線における断面図である。図４は、図２のＤ−Ｄ線における断面図である。
【００３４】
図１に示す公知の尿検体採取器具１により中間尿を採取する場合、初尿の流入を可能な限り少なくする必要がある。この尿検体採取器具１に入る尿の量（流量）は、少なくとも初尿の間は、筒状部分４の開口部の断面積と、この筒状部分４に取り付けられる検体容器連結部５（連結手段）に至るまでの尿の流速（すなわち運動量）との積となる。ここで、前記細長筒状部分４の開口部の断面積は、設計により定まる値であるが、一方、尿の流速は、使用者の膀胱の状態や重力によって決まる要素であり尿流の方向角度の影響を受けやすい。
【００３５】
初尿の間に採取容器へ入る尿の量を減らすには、前述の前記筒状部分４の開口部の断面積を小さくするか、または尿流速度を増すことにより達成できる。しかし、これにより前記尿検体採取容器にほとんど尿が採取されないといった問題が起こりやすくなる。
【００３６】
図２は、図１の筒状部材４に対応する筒状部材４′の部分斜視図である。なお、受尿部２の形状は本発明においては重要ではなく、また、前記筒状部材４′は図２に示すような矩形断面を有するが、これに限定されるものでもない。そして、前記筒状部材４′は底面２０を有し、検体容器連結部５′が、前記底面２０より外方に延在している。具体的には、この筒状部材４′には開口２１が形成されており、その内部に所定長さの流路を備えた前記検体容器連結部５′は、前記開口２１に接続している。この検体容器連結部５′の先端部と前記開口２１は実質的に同一平面に位置している。したがって、前記筒状部材４′内を流れる尿は、前記検体容器連結部５′に嵌合した尿検体採取容器（図示せず）に流れ落ちることが可能である。図２においては、前記筒状部材４′における尿流を、前記筒状部材４′の軸にほぼ平行な矢印ｕで示した。
【００３７】
本実施形態では、前記開口２１の上流側の前記底面部分２０Ａには、前記開口２１に尿流が達するよう、傾斜面２４が形成されている。詳細には、前記傾斜面２４は前記筒状部材４′の軸に向けて傾斜している。前記開口２１は、前記底面部分２０Ａと実質的に平行であるが、同一平面上には位置しない。この開口２１の下流では前記筒状部材４′の前記底面２０の中央部には、前記筒状部材４′の軸方向に平坦面２２が形成され、この平坦面２２は、前記開口２１と同一平面上に位置している。したがって、前記検体容器連結部５′自体が前記筒状部材４′内に露出することはない。そして、前記平坦面２２の長手方向各側部には、流路２３がそれぞれ形成されており、これら流路２３は上流側の前記底面部分２０Ａと接続している。
【００３８】
排尿開始時、尿流速度が遅い時は、尿は前記流路２３に沿って流れるので、初尿が前記開口２１を通って前記尿検体採取容器へ流入することはない。そして、尿流速度が速くなると、尿は前記傾斜面２４を乗り越え、前記開口２１へと方向づけられる。しかし、尿流速度の持つ運動量により、尿は前記開口２１を通り越し、前記尿検体採取容器に捕捉されることはない。すなわち、前記流路２３および前記傾斜面２４の双方が、前記開口２１を通過した尿流を誘導する機能を持つ。
【００３９】
通常、前記筒状部材４′に流入する尿量は、前記余剰尿出口開口部６から排出される尿量よりも多くなる。そのため、前記筒状部材４′に沿って前方の尿が「逆流」を開始する。前方の尿が前記開口２１に達すると、前記尿検体採取容器に流入する。よって、前記尿流の最初の部分は前記尿検体採取容器に流入せず中間尿（ＭＳＵ）が採取される。
【００４０】
すなわち、尿が前記開口２１を通過するように誘導する傾斜面２４を有することにより、中間尿（ＭＳＵ）が採取可能になる。一方、例えば、泌尿器系の疾患や感染症による疼痛または排尿困難や排尿障害のため、初尿の流速が非常に遅い場合は、尿は前記開口２１の両側のいずれかへと方向づけられ、尿は採取されない。また、何らかの衛生上の理由により尿検体の最初の一部が汚染されるような場合も、この汚染された尿は採取されることはない。
【００４１】
本発明は、当業者が実施可能な範囲で種々の変更が可能である。例えば、本発明の実施形態では流路２３を含むよう記載されているが、採尿時に非常に遅い尿流が問題とみなされない場合は、前記傾斜面２４を前記底面２０の幅に合わせて拡張することにより、前記流路２３を省略することができる。当然のことながら、前記傾斜面２４の角度および大きさ（面積）は変更可能である。また、前記傾斜面２４を尿流誘導部として説明したが、前記開口２１の上流縁に沿って壁部材を設けて尿流誘導部とすることも可能であり、このような壁部材により前記開口２１は前記筒状部材４′に沿った尿流に直接接することのないよう覆われる。前記壁部材は遅く流れる尿が前記開口２１周辺へ方向づけられるよう、上流へ向いてＶ字型とすることも可能である。さらに、検体容器連結部５′を前記筒状部材４′に嵌め込んで、検体容器連結部５を前記開口２１から筒状部材４′内方に、すなわち当該筒状部材４′の軸に向けて、突出させることも可能である。この点については、以下に説明する。
【００４２】
図５から７に示す尿検体採取器具１″を参照すると、受尿部２″は図１乃至４に示したものとほぼ同一である。前記尿検体採取器具１″は、所定の円形断面を持つ筒体部分を有する筒状部材４″を備えるので、この尿検体採取器具１″は、前記受尿部２″と余剰尿出口開口部６″に亘り断面積は変化せず一定である。
【００４３】
検体容器連結部５″は、図１乃至４に示される位置と同じ部位に配置される。図６および７に示すように、前記検体容器連結部５″の外表面の端部には、円形断面部１０があり、尿検体採取容器が端部に嵌合可能となっている。前記検体容器連結部５″の前記円形断面部１０には、この検体容器連結部５″を、前記筒状部材４″に接続可能にする接続部１２を有している。この接続部１２は、前記円形断面部１０よりも円周が長く、かつ、前記円形断面部１０および前記接続部１２はエルボー１１で結合されている。
【００４４】
尿の経路となる検体容器連結部５″は、図６に示されるように、半円形断面を有する流路１３および流路１４からなる。さらに、図７に示されるように、これら流路１３および流路１４の一端部（下端部）は、前記円形断面部１０および前記接続部１２を通り、同流路の他端部（上端部）は、前記筒状部材４″の内方に突出している。前記流路１４は、前記流路１３よりも、前記筒状部材４″内方に突出し、前記余剰尿出口開口部６″方向側（下流）に位置する。前記流路１３の上縁は半円開口２１″を形成し、前記流路１４の上縁は半円開口１５を形成する。
【００４５】
排尿開始時、尿がゆっくり流れると、尿は前記筒状部材４″を流れ下り、前記筒状部材４″内部に突出している前記流路１３および１４の位置に達するが、初尿が前記採取容器へ流入することはない。尿流速度が速くなり、前記筒状部材４″内の尿は深さが、図７に示すように、前記筒状部材４″の底面から前記流路１３の上縁、すなわち半円開口２１″、までの高さ「ａ」に達すると、尿は前記半円開口２１″内へ流れ始め、前記流路１３を下って前記尿検体採取容器へと流入する。前記流路１３の下流に位置する前記流路１４は、前記尿検体採取容器が満たされるに従い同容器から空気を逃がすための通気孔として機能する。前記流路１４の半円開口１５の位置は、前記「ａ」値よりも高いので、尿は通常この流路１４を流れ落ちることはない。なお、好ましくは、この高さ「ａ」は、前記筒状部材４″の、前記連結部５″位置における、高さの２０％から６０％の範囲である。この場合、前記筒状部材４″は、直径「ｄ」であるため、「ａ  ＝  ｄの２０％〜６０％」となる。よって、前記流路１３の半円開口２１″の前記筒状部材４″の底面からの位置（高さ）は、遅く流れる尿に対しては、上述の壁部材と同様の効果を奏することになる。
【００４６】
前記尿検体採取容器用の通気孔が異なる方法においても設けられることは明らかである。
【００４７】
本発明に係る尿検体採取器具は、前記筒状部材４′（図２）を作製用の挿入部を有する成形型（器具）に、プラスチック材料を射出して製造することができる。図２乃至４に記載の実施形態において、前記筒状挿入部は、前記受尿部２の方向へ引き抜く単一部品とすることが可能である。２つの部品からなる挿入部を使用した場合、前記傾斜面２４の最上縁は前記底面の面上から移動した位置に保った状態で、前記底面２０の面上に前記開口２１前記領域を形成することができる。
【００４８】
図５乃至７の実施形態に示す構成において、断面積を一定に保った筒状部材４″を備える場合、成形された挿入部を両端に挿入することで前記筒状部材４″を形成可能な器具を製造することが可能である。
【００４９】
図８は、前述の図に示す前記尿検体採取器具に使用する尿量制限部を示す。この尿量制限部は、尿検体採取容器１２２内への尿の流入を防ぐ弁１００を備えている。この弁１００は、前記流路１３内に位置している。一方、前記流路１４は、図５乃至７に基づき説明したように、前記尿検体採取容器１２２内の空気を前記筒状部材４″（図８には図示せず）内に逃がす機能を有する。前記弁１００は、上部開口部１０２、下部開口部１０４、および閉鎖部材である球体１０６を備えている。この球体１０６は、全体の密度が尿よりも低いため尿面上に浮き、初期状態では、内部壁１０８により、前記下部開口部１０４から離れた位置に保たれ、前記下部開口部１０４が閉鎖されることはない。前記球体１０６の直径は前記上部開口部１０２の直径よりも大きい。使用時、尿は矢印Ａに示すように前記筒状部材４″から前記弁１００へと流入し、矢印Ａ′に示すように、前記弁１００を通過して前記尿検体採取容器１２２へと流入する。前記尿検体採取容器１２２の尿面は上昇し、その後、下部開口部１０４から弁１００へと流入する。前記弁１００内で尿面が上昇し続けると、前記球体１０６は、前記上部開口部１０２に到達するまで尿面上に浮いた状態にある。すなわち、図８に矢印Ｂで示すレベル付近へと、尿は前記尿検体採取容器１２２内を上昇する。そして前記球体１０６は前記上部開口部１０２を閉鎖し、さらなる尿が前記弁１００に、つまり前記容器１２２に流入するのを防ぐ。使用者が排尿し続けると、尿は前記弁１００から前記容器１０２へ通過できなくなり、単に前記筒状部材４″から流れ出るだけとなる。前記筒状部材４″から前記弁１００間では、当然ながら、尿は前記弁１００上方の前記流路１３内にあり、前記尿検体採取容器１２２が前記尿検体採取器具から外されることにより、前記球体１０６は前記上部開口部１０２から落ちて、尿が前記尿検体採取容器１２２内へ落ちる。よって、採取される尿の全量は、使用時の前記尿検体採取容器１２２内の前記弁１００の位置および前記筒状部材４″および前記弁１００間の前記流路１３の容量から予め設定することが可能である。前記尿検体採取器具からの前記尿検体採取容器１２２取外し時の尿流出は、前記筒状部材４″と前記弁１００間の前記流路１３の容量よりも、使用時の前記弁１００のレベルより上の前記容器１２２の容量を大きくすることで、実質的に防ぐことが可能である。
【００５０】
図９には、図５乃至７に示す前記流路１３および前記流路１４を備える他の尿量制限部が示されている。前記流路１４は、前記流路１３よりも長く前記尿検体採取容器１２２内部に延びている。前記尿検体採取容器１２２は、連結部１０５とともに尿を密封するよう構成されている。すなわち、尿は前記流路１３を介してのみ前記尿検体採取容器１２２へ流入し、移動した空気は前記流路１４を介してのみ同容器１２２から逃がすことができる。よって、図５乃至７に示されるように、使用時、尿は、矢印「Ａ″」で示す前記流路１３により前記筒状部材４″（図９には図示せず）から前記尿検体採取容器１２２へと流入し、移動した空気は、矢印「Ｃ」で示すように前記流路１４により同容器１２２から排気される。前記尿検体採取容器１２２内の尿面は上昇し、図９に矢印Ｄで示す前記流路１４の下部開口部１０４のレベルへと達する。この時点で、前記尿検体採取容器１２２からそれ以上空気の移動はなく、尿は前記尿検体採取容器１２２へ流入することはできない。よって、さらなる尿はすべて前記筒状部材４″を通って流れ出る。一方、前記流路１３内の尿は、当然ながら、前記尿検体採取容器１２２が、前記尿検体採取器具から外される時に、前記尿検体採取容器１２２内へ落ちることになる。すなわち、前記尿検体採取容器１２２と前記連結部１０５間での尿の密封が解けると、空気が排気可能となる。採取される尿の全量は、使用時の前記尿検体採取容器１２２内の前記流路１４の下部開口部の位置および前記流路１３の容量から予め設定することが可能である。前記尿検体採取器具からの前記尿検体採取容器１２２を取外す時の尿流出は、前記流路１３の容量よりも、使用時の前記流路１４の下部開口部のレベルより上の前記容器１２２の容量を大きくすることで、実質的に防ぐことが可能である。
【００５１】
図１乃至７に示す前記尿検体採取器具に使用する尿量制限部をさらに図１０に示す。この尿量制限部は、連結部１１５が中空で、この連結部内をそれぞれ貫通する前記流路１３および前記流路１４が隣接している点を除いて、図９に示す尿量制限部と実質上同一である。
【００５２】
図８、９および１０に示す前記尿量制限部は、図５乃至７に示す前記尿検体採取器具を具体的に参照して記載するが、当業者にとって明らかなように、前記尿量制限部は他の尿検体採取器具とともに同様に使用することもできる。
【図面の簡単な説明】
【００５３】
【図１】公知の尿検体採取器具の斜視図である。
【図２】本発明の実施形態における筒状部材の部分斜視側面図である。
【図３】図２のＣ−Ｃ線における断面図である。
【図４】図２のＤ−Ｄ線における断面図である。
【図５】本発明の別の実施形態における受尿器、筒状部材、および連結手段を示す側面図である。
【図６】筒状部材の軸を中心とした図５の前記受尿部の平面図を示す図である。
【図７】受尿部を省略した図５の前記筒状部材の縦方向の部分側面断面図を示す図である。
【図８】上述の図に示した前記尿検体採取器具に使用する尿量制限部を示す図である。
【図９】図１乃至図７に示す前記尿検体採取器具に使用する尿量制限部をさらに示した図である。
【図１０】図１乃至図７に示す前記尿検体採取器具に使用する尿量制限部をさらに示した図である。
【符号の説明】
【００５４】
１  尿検体採取器具
２  受尿部
４  筒状部材
４′筒状部材
４″筒状部材
５  検体容器連結部（連結手段）
５′検体容器連結部（連結手段）
５″検体容器連結部（連結手段）
１０  円形断面部
１２  接続部
１３  流路
１４  流路
２０  底面
２０Ａ  上流側底面部分
２１  開口
２２  平坦面
２３  流路
２４  傾斜面
１００  弁
１０２  上部開口部
１０４  下部開口部
１０５  連結部
１０６  球体（閉鎖部材）
１０８  内部壁
１２２  尿検体採取容器
【図１】
2005517939.tif 000003
【図２】
2005517939.tif 000004
【図３】
2005517939.tif 000005
【図４】
2005517939.tif 000006
【図５】
2005517939.tif 000007
【図６】
2005517939.tif 000008
【図７】
2005517939.tif 000009
【図８】
2005517939.tif 000010
【図９】
2005517939.tif 000011
【図１０】
2005517939.tif 000012
【手続補正書】
【提出日】平成16年10月29日(2004.10.29)
【手続補正１】
【補正対象書類名】特許請求の範囲
【補正対象項目名】全文
【補正方法】変更
【補正の内容】
【特許請求の範囲】
【請求項１】
出口開口部を起点として使用者が排尿する受尿領域を形成する裾広がりになった面と、この面の周囲を規定する縁と、を有する受尿部と；
一端が前記受尿部出口開口部に接続して該受尿部出口開口部から排尿された尿を受け、その他端が開放端であり、かつ、その側面に開口部を有する筒状部材と；
前記開口部に取り付けられ、該開口部と連通するようにその内部に所定の長さの流路を形成し、かつ、尿検体採取容器を着脱可能に取り付けられ、前記筒状部材内を流れる尿を前記尿検体採取容器に流入させる連結手段と；
前記筒状部材内で、前記開口部に位置し、又は、前記開口部に隣接して位置し、前記開口部を通過した尿を誘導するよう形成された尿流誘導部と；を備えたことを特徴とする尿検体採取器具。
【請求項２】
前記尿流誘導部は、前記筒状部材の長手方向軸に向けて突出した突出部からなる、請求項１記載の尿検体採取器具。
【請求項３】
前記開口部の上流に、前記突出部を備える請求項２記載の尿検体採取器具。
【請求項４】
前記開口部の下流にも、前記突出部を備える請求項３記載の尿検体採取器具。
【請求項５】
前記開口部の上流に位置する前記突出部が、前記筒状部材の前記側面に対して、傾斜面を有する請求項３又は４記載の尿検体採取器具。
【請求項６】
前記開口部の上流に位置する前記突出部は、前記開口部の上流縁に沿い、前記筒状部材の幅方向へ延在する壁部材である請求項３又は４記載の尿検体採取器具。
【請求項７】
前記尿流誘導部は、前記開口部を挟んだ両側の少なくともいずれか一方側に沿って尿を流す尿路を備える、請求項１から６記載のいずれか１項に記載の尿検体採取器具。
【請求項８】
前記突出部を、前記連結手段の一部を、前記筒状部材内において、当該筒状部材の前記長手方向軸に向けて突出させて構成し、該連結手段の突出端部から尿が、該連結手段内の前記流路を介して、前記尿検体採取容器へ流入可能とした請求項２記載の尿検体採取器具。
【請求項９】
前記連結手段の一部は、前記筒状部材の高さの２０％から６０％に相当する分前記筒状部材内へ延在する請求項８記載の尿検体採取器具。
【請求項１０】
前記連結手段は、複数の断面半円形状の流路からなり、前記筒状部材内で上流側に位置する流路より、下流側に位置する流路の方が、該前記筒状部材内により長く延在している請求項８又は９記載の尿検体採取器具。
【請求項１１】
前記流路のうち少なくとも一つの流路は、前記尿検体採取容器内の空気を前記筒状部材内へ排気するために用いられる請求項８から１０のいずれか１項に記載の尿検体採取器具。
【請求項１２】
前記尿検体採取容器内の空気を前記筒状部材内へ排気するために用いられる前記流路は、前記連結手段の内部に形成される前記流路の長さより長く前記筒状部材内へ延在している請求項１１記載の尿検体採取器具。
【請求項１３】
前記尿検体採取容器内の空気を前記筒状部材内へ排気するために用いられる前記流路の開口部は下流に面している請求項１１又は１２記載の尿検体採取器具。
【請求項１４】
前記尿検体採取容器内の空気を前記筒状部材内へ排気するために用いられる前記流路の前記開口部は、前記筒状部材の前記側面に対して下流に向いた傾斜面にある請求項１１から１３のいずれか１項に記載の尿検体採取器具。
【請求項１５】
前記開口部に隣接して、該開口部を覆うためのカバー部材を設けた請求項１１から１４のいずれか１項に記載の尿検体採取器具。
【請求項１６】
前記筒状部材は、前記開放端が先細りとなるような小さい断面となる請求項１から１５のいずれか１項に記載の尿検体採取器具。
【請求項１７】
前記尿検体採取容器へ流入する尿を制限する尿量制限部または尿量制限部を有する尿検体採取容器を備える請求項１から１６のいずれか１項に記載の尿検体採取器具。
【請求項１８】
前記尿量制限部は、設定上限値まで尿が容器内へ流入した後にさらなる尿の前記尿検体採取容器への流入を防止できる請求項１７記載の尿検体採取器具。
【請求項１９】
前記尿量制限部は、使用時の前記開口部および前記尿検体採取容器間に、前記尿検体採取容器内の尿が設定レベルに達すると閉鎖する、弁を備える請求項１７又は１８記載の尿
検体採取器具。
【請求項２０】
前記尿量制限部が弁を備え、尿が前記筒状部材から前記尿検体採取容器へ前記弁を通って流れ、前記弁は、尿が前記尿検体採取容器へと流入する場合に通る下部開口部と、尿が前記筒状部材から流入する場合に通る上部開口部と、前記上部開口部を閉鎖可能な寸法を有する前記上部開口部と前記下部開口部間に位置する閉鎖部材を備える請求項１７から１９のいずれか１項に記載の尿検体採取器具。
【請求項２１】
前記閉鎖部材は尿よりも低い密度である請求項２０記載の尿検体採取器具。
【請求項２２】
前記閉鎖部材が球体からなる請求項２０又は２１記載の尿検体採取器具。
【手続補正２】
【補正対象書類名】明細書
【補正対象項目名】００１０
【補正方法】変更
【補正の内容】
【００１０】
本発明による尿検体採取器具は、出口開口部を起点として使用者が排尿する受尿領域を形成する裾広がりになった面と、この面の周囲を規定する縁と、を有する受尿部と；一端が前記受尿部出口開口部に接続して該受尿部出口開口部から排尿された尿を受け、その他端が開放端であり、かつ、その側面に開口部を有する筒状部材と；前記開口部に取り付けられ、該開口部と連通するようにその内部に所定の長さの流路を形成し、かつ、尿検体採取容器を着脱可能に取り付けられ、前記筒状部材内を流れる尿を前記尿検体採取容器に流入させる連結手段と；前記筒状部材内で、前記開口部に位置し、又は、前記開口部に隣接して位置し、前記開口部を通過した尿を誘導するよう形成された尿流誘導部と；を備えることを特徴としている。
【手続補正３】
【補正対象書類名】明細書
【補正対象項目名】００１１
【補正方法】変更
【補正の内容】
【００１１】
前記尿流誘導部は、前記筒状部材の長手方向軸に向けて突出した突出部を有すると好ましい。
【手続補正４】
【補正対象書類名】明細書
【補正対象項目名】００１４
【補正方法】変更
【補正の内容】
【００１４】
前記開口部の上流に位置する前記突出部が、前記筒状部材の前記側面に対して、傾斜面を備えてもよい。
【手続補正５】
【補正対象書類名】明細書
【補正対象項目名】００１７
【補正方法】変更
【補正の内容】
【００１７】
前記突出部を、前記連結手段の一部を、前記筒状部材内において、当該筒状部材の前記長手方向軸に向けて突出させて構成し、該連結手段の突出端部から尿が、該連結手段内の前記流路を介して、前記尿検体採取容器へ流入可能としてもよい。
【手続補正６】
【補正対象書類名】明細書
【補正対象項目名】００２３
【補正方法】変更
【補正の内容】
【００２３】
前記尿検体採取容器内の空気を前記筒状部材内へ排気するために用いられる前記流路の前記開口部は、前記筒状部材の前記側面に対して下流に向く傾斜面にあると好ましい。
【手続補正７】
【補正対象書類名】明細書
【補正対象項目名】００２４
【補正方法】変更
【補正の内容】
【００２４】
前記開口部に隣接して、該開口部を覆うためのカバー部材を設けてもよい。
【国際調査報告】
2005517939.tif 000013
2005517939.tif 000014
2005517939.tif 000015